(57)【要約】【課題】差出人からの情報をコンパクトに保管でき、受取人が差出人に情報を容易に返送することのできる郵便はがきを提供するものである。【解決手段】はがき本体部４とその両面にそれぞれ表面添付部３と裏面添付部５を備える郵便はがき１において、はがき本体部４の一の側端部７ａと表面添付部の一の側端部７ｂと裏面添付部の一の側端部を綴じ、はがき本体部４と表面添付部３及びはがき本体部４と裏面添付部５は剥離性感圧接着剤によって接着され、はがき本体部４の他の側端部又は上端部には、表面添付部３及び裏面添付部５をはがき本体部４に接着した後にも視認可能に郵便はがきであることの表示８がなされているものである。【選択図】  図１
2004249467.tif 000002
【特許請求の範囲】
【請求項１】
はがき本体部とその両面にそれぞれ表面添付部と裏面添付部を備える郵便はがきにおいて、前記はがき本体部の一の側端部と前記表面添付部の一の側端部と前記裏面添付部の一の側端部を綴じ、前記はがき本体部と前記表面添付部及び前記はがき本体部と前記裏面添付部は剥離性感圧接着剤によって接着され、前記はがき本体部の他の側端部又は上端部には、前記表面添付部及び前記裏面添付部を前記はがき本体部に接着した後にも視認可能に郵便はがきであることの表示をしてなることを特徴とする郵便はがき。
【請求項２】
前記はがき本体部は、前記はがき本体部の一の側端部において切り取り可能に設けられていることを特徴とする請求項１記載の郵便はがき。
【請求項３】
前記表面添付部の前記はがき本体部と密着する側の面又は前記はがき本体部の前記裏面添付部と密着する側の面に転写部を設けたことを特徴とする請求項１又は請求項２記載の郵便はがき。
【請求項４】
前記はがき本体部の他の側端部又は上端部における郵便はがきであることの表示は、その表示の裏側にも施されることを特徴とする請求項１乃至請求項３に記載の郵便はがき。
【請求項５】
前記はがき本体部、前記表面添付部又は前記裏面添付部の一の側端部には少なくとも１の孔が、穿設されることを特徴とする請求項１乃至請求項４のいずれか１に記載の郵便はがき。
【請求項６】
前記表面添付部と前記裏面添付部の少なくとも１は、その少なくとも１の角部に切欠き部を有することを特徴とする請求項１乃至請求項５のいずれか１に記載の郵便はがき。
【発明の詳細な説明】
【０００１】
【発明の属する技術分野】
本発明は、秘匿情報が記載可能な郵便はがきに関する。
【０００２】
【従来の技術】
一般に、支払請求書、年金の支払通知、他人に読まれたくないメッセージや記載情報等の秘匿情報を郵便で通知する場合には親展などとして封書を利用する。しかしながら、最近では、郵便費用の節約や取り扱いが容易なことなどから、剥離性感圧接着剤が塗布されたシートの内側に秘匿情報を記載し、これを２つ折りまたは３つ折りにして接着させてはがきとして郵送し、このシートを剥離して開くことによって受取人が内側に書かれた秘匿情報を読むことのできるはがきが使用されることが多い。特に、３つ折り型のはがきははがき３枚分の両面、すなわち、計６面を使用することができ、最大４面分に秘匿情報を記載することができる。
【０００３】例えば、特許文献１には、「三つ折りシークレットはがき」という名称で、郵便はがきとしての使用が可能で情報を記載することができる面が片面６面分あり、このうち親展情報を記載することができる面が４面分あるシークレットはがきに関する発明が開示されている。
【０００４】以下、特許文献１に開示された技術について特許文献１を引用しながら説明する。
特許文献１に開示された三つ折りシークレットはがきは、はがき本体と、はがき本体の両端にこの両端線を折れ線として断面Ｚ字状に折畳んで剥離可能に接着された表面添付物及び裏面添付物とからなり、はがき本体に記載された「郵便はがき」または「ＰＯＳＴ  ＣＡＲＤ」という文字が表面添付物及び裏面添付物をはがき本体に接着させた後も読み取れるような形状となっている。はがき本体に記載された「郵便はがき」または「ＰＯＳＴ  ＣＡＲＤ」という文字が表面添付物及び裏面添付物をはがき本体に接着させた後も読み取れる形状としては３つの形状が記載されており、１つ目の形状としてははがき本体の裏面添付物と連接する側端部に「郵便はがき」または「ＰＯＳＴ  ＣＡＲＤ」という文字を記載し表面添付物の短辺の長さを通常のはがきの短辺の長さよりも短くして三つ折り接着後もはがき本体側端部に記載された「郵便はがき」または「ＰＯＳＴ  ＣＡＲＤ」という文字が読み取れるというものである。
【０００５】また、２つ目の形状としてははがき本体の上端部に「郵便はがき」または「ＰＯＳＴ  ＣＡＲＤ」という文字を記載し表面添付物の長辺の長さを通常のはがきの長辺の長さよりも短くして三つ折り接着後もはがき本体上端部に記載された「郵便はがき」または「ＰＯＳＴ  ＣＡＲＤ」という文字が読み取れるというものであり、３つ目の形状としてははがき本体の側端部、上端部あるいは下端部に「郵便はがき」または「ＰＯＳＴ  ＣＡＲＤ」という文字を記載し三つ折り接着後もはがき本体に記載された「郵便はがき」または「ＰＯＳＴ  ＣＡＲＤ」という文字が読み取れるような孔を表面添付物表面に設けるというものである。
【０００６】このように、特許文献１に開示された発明においては、三つ折り接着後もはがき本体に記載された「郵便はがき」または「ＰＯＳＴ  ＣＡＲＤ」という文字が読み取れる形状とすることで情報記載面積を広くし、より多くの秘匿情報を記載及び郵送することができる。
【０００７】また、特許文献２には、「感圧接着性プリントシート」という名称で、特許文献１に開示したような三つ折り型のはがきに使用する感圧接着性プリントシートに関する発明が開示されている。
【０００８】以下、特許文献２に開示された技術について特許文献２を引用しながら説明する。
特許文献２に開示された感圧接着性プリントシートは、特許文献１に開示したような三つ折り型のシークレットはがきにおいてシートの表面全面と裏面全面に異なった量の感圧接着剤を塗布することで、シートを三つ折りにしたときにはがき本体と表面添付物との剥離強度と、はがき本体と裏面添付物との剥離強度を異にするというものであり、このような構造にすることによって三つ折り型のはがきを二つ折り型のはがきとしても使用することが可能である。また、剥離強度の相違によって温度や湿度等の条件変化においてもシート全体が均一に伸縮するため、カールやシワ等が容易に生じることがなくなり、保存における取扱いを容易にすることができる。
【０００９】
【特許文献１】
実開平７−２６１６０号公報
【特許文献２】
特開平６−４０１８６号公報
【００１０】
【発明が解決しようとする課題】
しかしながら、上述の従来の技術においては、例えば特許文献１に開示された発明においては、多量の秘匿情報を記載し郵送することができるものの、受取人が郵送されてきた三つ折り型の郵便はがきに記載されている情報を閲覧する際には不便であるという課題があった。
受取人は、まず表面添付物を剥がすと、表面添付物の裏面が右側に、そして、はがき本体の表面が左側という状態で記載されている情報を読むことになる。次に、はがきを裏返して、裏面添付物を剥がすと、今度は裏面添付物の裏面が右側で、はがき本体の裏面が左側になる。したがって、表面添付物裏面、はがき本体表面、はがき本体裏面、裏面添付物裏面の４面に示される情報の表示の順序は、例えば受取人が左頁から右頁へと読むならば、（１）はがき本体表面、（２）表面添付物裏面、（３）はがき本体裏面、（４）裏面添付物裏面という順序になる。
【００１１】このような状態においては、はがき本体に限れば、はがき本体の表面に記載された情報と裏面に記載された情報が連続して読まれるものではない。すなわち、受取人が表面添付物及び裏面添付物を取り外し、はがき本体に記載された情報のみを保管しようとしても、はがき本体表面とその裏面に記載された情報は連続したものではなく、結局全部を保管しなければならないという課題があった。
しかも、表面添付物と裏面添付物を剥がした後には、はがき３枚分の大きさを備える大きな１枚となるが、このような状態で４面分の情報を閲覧するには、その大きな１枚の表面を読んだ後、裏返して読まなければならないので、面倒であるという課題もあった。
【００１２】また、特に、三つ折りにしてファイリングによる保管をする場合には、ファイリングを解除しないと、全部の面を閲覧できないという課題があった。例えば、表面添付物とはがき本体が山折り、はがき本体と裏面添付物が谷折りの状態でファイリングされているとすれば、山折りされている部分の裏側は、この山折りの部分をはさみで切り離すか、ファイリングの部分を外すかしない限り閲覧できないという課題があった。
また、従来の秘匿情報用の郵便はがきは差出人から受取人への一方通行の情報伝達にのみ使用されているため、差出人からの情報あるいはメッセージに対して受取人が差出人に返事を返したい場合には新たにはがきを用意して返送しなければならないという手間もあった。
【００１３】さらに、特許文献２に開示された発明においては、シート両面の感圧接着剤の塗布量を異にすることで二つ折りの郵便はがきとしても使用でき、シートのカールやシワを生じることなく保管することができるものの、特許文献１と同様に、保管上の課題や閲覧上の課題は解決されるものではない。
【００１４】本発明はかかる従来の事情に対処してなされたものであり、差出人からの情報をコンパクトに、しかも、閲覧が容易となるように保管でき、受取人が差出人に情報を容易に返送することのできる郵便はがきを提供することを目的とする。
【００１５】
【課題を解決するための手段】
上記目的を達成するため、請求項１記載の発明である郵便はがきは、はがき本体部とその両面にそれぞれ表面添付部と裏面添付部を備える郵便はがきにおいて、はがき本体部の一の側端部と表面添付部の一の側端部と裏面添付部の一の側端部を綴じ、はがき本体部と表面添付部及びはがき本体部と裏面添付部は剥離性感圧接着剤によって接着され、はがき本体部の他の側端部又は上端部には、表面添付部及び裏面添付部をはがき本体部に接着した後にも視認可能に郵便はがきであることの表示がなされているものである。
上記構成の郵便はがきにおいては、はがき本体部の一の側端部と表面添付部の一の側端部と裏面添付部の一の側端部を綴じ、かつ、はがき本体部と表面添付部及びはがき本体部と裏面添付部は剥離性感圧接着剤によって接着することで、表面添付部及び裏面添付部をはがき本体から剥離する際に冊子状に開閉可能であるという作用を有する。また、表面添付部及び裏面添付部をはがき本体部に接着した後にも郵便はがきであることの表示が視認可能となるようにはがき本体部の他の側端部又は上端部に郵便はがきであることの表示を行うことで、郵便はがきとして使用することができるという作用を有する。
【００１６】また、請求項２に記載の発明である郵便はがきは、請求項１記載の郵便はがきにおいて、はがき本体部がはがき本体部の一の側端部において切り取り可能に設けられているものである。
上記構成の郵便はがきにおいては、はがき本体部に記載された情報を表面添付部あるいは裏面添付部に記載された情報と切り離し、別個のものとして使用可能とするという作用を有する。
【００１７】請求項３記載の発明である郵便はがきは、請求項１又は請求項２記載の郵便はがきにおいて、表面添付部のはがき本体部と密着する側の面又は前記はがき本体部の前記裏面添付部と密着する側の面に転写部を設けたものである。
上記構成の郵便はがきにおいては、表面添付部のはがき本体部と密着する側の面に転写部を設けることで、表面添付部の記載事項をはがき本体部に転写したり、あるいは表面添付部の記載事項を裏面添付部に転写するという作用を有する。
【００１８】また、請求項４記載の発明である郵便はがきは、請求項１乃至請求項３記載の郵便はがきにおいて、はがき本体部の他の側端部又は上端部における郵便はがきであることの表示がその表示の裏側にも施されているものである。
上記構成の郵便はがきにおいては、はがき本体部の側端部あるいは上端部に郵便はがきであることの表示をしてさらにその裏側にも郵便はがきであることの表示をすることで、表面添付部あるいは裏面添付部のいずれの側からでも郵便はがきの表示が視認できるという作用を有する。
【００１９】請求項５記載の発明である郵便はがきは、請求項１乃至請求項４のいずれか１に記載の郵便はがきにおいて、はがき本体部、表面添付部又は裏面添付部の一の側端部に少なくとも１の孔が、穿設されているものである。
上記構成の郵便はがきにおいては、はがき本体部、表面添付部又は裏面添付部の一の側端部に少なくとも１の孔を穿設することで、郵便はがきに保管のための綴じ孔を設けるという作用を有する。
【００２０】最後に、請求項６記載の発明である郵便はがきは、請求項１乃至請求項５のいずれか１に記載の郵便はがきにおいて、表面添付部と裏面添付部の少なくとも１は、その少なくとも１の角部に切欠き部を有するものである。
上記構成の郵便はがきにおいては、表面添付部と裏面添付部の少なくとも１つのその少なくとも１の角部に切欠き部を設けることで、郵便はがきの表面添付部及び裏面添付部をはがき本体部から剥離する作業を容易にするという作用を有する。
【００２１】
【発明の実施の形態】
以下、本発明の実施の形態に係る郵便はがきを図１乃至図６に基づき説明する。
【００２２】はじめに、本発明の実施の形態に係る郵便はがきの構造について図１に基づき説明する。（請求項１乃至請求項６に対応）
【００２３】図１（ａ）は本発明の第１の実施の形態に係る郵便はがきの概念図であり、図１（ｂ）は図１（ａ）におけるＡ−Ａ線矢視断面図である。
図１（ａ）において、郵便はがき１は、大きくは、はがき本体４とその表面側に折った状態で連接される表面添付物３と、はがき本体４の裏面側に非剥離性接着剤層７ａ，７ｂによって接着される裏面添付物５とから構成される。図中、シート２とは、はがき本体４と表面添付物３及び裏面添付物５を総合した名称として使用している。本願図面においては、本図のみならず、実施の形態の内容を容易に説明するためにシート２の厚みを誇張して記載しているが、実際にはほとんど厚みがない場合もある。
【００２４】はがき本体４、表面添付物３、裏面添付物５の表裏の両面には剥離性感圧接着剤層４ａ，４ｂ，３ａ，３ｂ，５ａ，５ｂが形成されている。これらのうち、剥離性感圧接着剤層３ｂ，４ｂ及び剥離性感圧接着剤層４ａ，５ａは圧力をかけることによって全面が接着されている。
はがき本体４の端部には「郵便はがき」表記８がなされており、郵便はがきであることが視認可能となっている。もちろん、この「郵便はがき」表記８ははがき本体４の上部側や場合によっては下側に設けてもよい。その際には表面添付物３の上部や下部の一部を切除することで「郵便はがき」表記８を視認できるようにしておく。
図中手前側を表面とするならば、表面添付物３の表面に受取人の住所と宛て名などが記載され、表面添付物３の裏面、はがき本体４の表裏面及び裏面添付物５の表面に秘匿情報などが記載されている。
【００２５】はがき本体４と表面添付物３は、はがき本体４の「郵便はがき」表記８とは反対側の側端部において折られた状態で綴じられ、はがき本体４と裏面添付物５は、同様に非剥離性接着剤層７ａ，７ｂによって接着された状態で綴じられている。
なお、本願明細書において「綴じる」とは、糊や接着剤を用いて接着したり、折ったり、ステープラーやヒモ、糸、鋲、その他の締結具などによって留めたり、連接する場合などを総合的に含む概念である。
【００２６】このように構成された郵便はがき１においては、受取人はまず、表面添付物３をはがき本体４から剥がし、それから裏面添付物５を剥がして秘匿情報を読む。したがって、受取人ははがき本体４と表面添付物の折部及び非剥離性接着剤層７ａ，７ｂの接着部を綴じしろとして剥離性感圧接着剤層３ｂ，４ｂ及び剥離性感圧接着剤層４ａ，５ａを同方向に開封することができ、見開き２頁の冊子として印刷面６面全面を容易に見ることができる。その際には、郵便はがき１を裏返す必要がない。
【００２７】次に、図２を参照しながら、本発明の第２の実施の形態に係る郵便はがきについて説明する。（特に請求項５に対応）
図２（ａ）は本発明の第２の実施の形態に係る郵便はがきの概念図であり、図２（ｂ）は本発明の第２の実施の形態に係る郵便はがきを保管するときの概念図である。図２において、図１に示された部分と同一部分については同一符号を付し、その構成についての説明は省略する。
【００２８】図２（ａ）に示されている第２の実施の形態では、郵便はがき１はまだ完成されていない。この図２（ａ）を用いて、本実施の形態に係る郵便はがき１の製造方法について説明する。
郵便はがき１は、折れ線によって蛇腹状に折り曲げられた専用の連続用紙から製造される。したがって、はじめはその断面がアルファベットのＺのような形状をしている。この状態において、はがき本体４、表面添付物３及び裏面添付物５とからなるシート２の両面に受取人の住所や秘匿情報等をプリントしてこの上からシート２両面に剥離性感圧接着剤を塗布して剥離性感圧接着剤層３ａ，３ｂ，４ａ，４ｂ，５ａ，５ｂを形成させる。さらに、剥離性感圧接着剤層４ａ，５ａの側端部に非剥離性接着剤を塗布して非剥離性接着剤層７ａ，７ｂを設ける。そして、これを三つ折りにして剥離性感圧接着剤層３ａあるいは剥離性感圧接着剤層５ａの上から圧力を加えて剥離性感圧接着剤層３ｂと剥離性感圧接着剤層４ｂ、及び、剥離性感圧接着剤層４ａと剥離性感圧接着剤層５ａを接着する。最後に、非剥離性接着剤層７ａ，７ｂが設けられていない側の裏面添付物５とはがき本体４の連結部分を切取線９に沿って切断して完成させる。
【００２９】なお、本実施の形態においては、はがき本体４、表面添付物３、裏面添付物５のそれぞれに綴じ孔６ａ，６ｂ，６ｃが穿設されており、表面添付物３を折り、非剥離性接着剤層７ａ，７ｂによってはがき本体４と裏面添付物５を綴じた場合にはそれぞれの綴じ孔６ａ，６ｂ，６ｃが貫通するように形成されている。
【００３０】表面添付物３、はがき本体４及び裏面添付物５を感圧接着した後には切取線９においてはがき本体４と裏面添付物５の連結部を切断するため、受取人によって開封される際には図２（ａ）に示される形態ではなく、図２（ｂ）に示すような冊子状に開封することができる。また、綴じ孔６ａ，６ｂ，６ｃが設けられているため、開封後には図２（ｂ）に示すように綴じ孔６ａ，６ｂ，６ｃにファイル１０のリング１１を通して保管することができる。また、このようなファイリングによって、複数の郵便はがき１を冊子状に整理することができるため、ファイル１０から郵便はがき１を取り外すことなく容易に閲覧することができる。
【００３１】本実施の形態においては、剥離性感圧接着剤によって接着された４面に秘匿情報が記載されるとすれば、（１）表面添付物３の裏面、（２）はがき本体４の表面、（３）はがき本体４の裏面、（４）裏面添付物５の裏面の順序となり、はがき本体４の表裏面では連続した情報が記載されることになる。したがって、例えば、はがき本体４の両面のみに保管が必要な情報を記載してあれば、はがき本体４のみを表面添付物３や裏面添付物５と切り離して別個に保管することも可能である。
なお、図２においては事前に郵便はがき１に綴じ孔６ａ，６ｂ，６ｃが設けられているが、図１に示すように綴じ孔６ａ，６ｂ，６ｃを設けていない郵便はがきも考えており、このような郵便はがきにおいては好みのファイルの孔数に合わせて綴じ孔を設けることも可能である。
【００３２】次に、図３を参照しながら本発明の第３の実施の形態に係る郵便はがきを説明する。（特に請求項２に対応）
図３（ａ）は本発明の第３の実施の形態に係る郵便はがきの概念図であり、図３（ｂ）は本発明の第３の実施の形態に係る郵便はがきを保管するときの概念図である。図３において、図１及び図２に示された部分と同一部分については同一符号を付し、その構成についての説明は省略する。
【００３３】図３に示すように、図３の郵便はがき１は図２に示す郵便はがき１のはがき本体４で表面添付物３と綴じられている側の側端部に切取線１２が設けられているため、開封後には図３（ｂ）に示すように郵便はがき１からはがき本体４を切り離すことができる。このため、受取人は郵便はがき１の内側に記載された秘匿情報を見ることができるだけでなく、はがき本体４の片面に通信販売の商品注文書やセミナー等の申込書、結婚式の出欠事項等を記載し、もう片面に送り先の住所・宛名を記載しておけば、開封後にはがき本体４を切り取って返信用郵便はがきとして差出人に返信することも可能である。また、図３（ｂ）に示すように、はがき本体４切り離し後の残りの表面添付物３及び裏面添付物５をファイリングして保管することも可能である。これによって、返信はがきを送付した後の控えとして情報を保管することが可能である。
【００３４】次に、本発明の第４の実施の形態に係る郵便はがきとその使用法について図４乃至図６を用いて説明する。（特に請求項２乃至請求項６に対応）
本発明の第４の実施の形態に係る郵便はがきは、本発明の第３の実施の形態に係る郵便はがきの表面添付部及び裏面添付部に転写部及び切欠きを設け、かつ、はがき本体部に「郵便はがき」であるという表示を行ったものである。
【００３５】また、図４は本発明の第４の実施の形態に係る郵便はがきの実施例１の概念図であり、（ａ）は表面平面図、（ｂ）は裏面平面図、（ｃ）は折畳み図である。図４において、図１乃至図３に示された部分と同一部分については同一符号を付し、その構成についての説明は省略する。また、本図乃至図６においては、図４（ａ）に示された面をすべて表面、図４（ｂ）に示された面をすべて裏面と表現する。
【００３６】図４（ａ）に示すように、郵便はがき１には、表面添付物表面３Ａには差出人によって、受取人の住所と宛名が記載されている。そして、はがき本体表面４Ａに例えば差出人の住所など返信先の住所と宛名を記入し、この裏面となるはがき本体裏面４Ｂの側端部に「郵便はがき」表記８を印字しておく。
このようにしておくことで、図４（ｃ）に示すように郵便はがき１を折畳んで接着したときにも「郵便はがき」表記８を読み取ることができ、これによって図４（ｃ）の状態で郵便はがき１を郵便物として使用することが可能となる。
【００３７】また、表面添付物裏面３Ｂ及びはがき本体表面４Ａには転写部１３を設けているため、はがき本体裏面４Ｂに申込書を印刷し、裏面添付物表面５Ａにその控えを印刷しておけば、郵便はがき１を図４（ｃ）のように折畳んでその上から受取人の住所を印字するだけで表面添付物表面３Ａに印字された受取人の住所をはがき本体裏面４Ｂ及び裏面添付物表面５Ａに転写することができる。しかも、はがき本体裏面４Ｂに記載した申し込み内容をそのまま裏面添付物表面５Ａの申込書控えに転写することが可能となる。したがって、予め表面添付物裏面３Ｂに設けられる転写部１３は、少なくとも表面添付物表面３Ａに印字や手書きされる住所や宛名の記載部分と同じ部分に必要であり、はがき本体表面４Ａに設けられる転写部１３ははがき本体裏面４Ｂに手書きあるいは印字で記載される情報の部分と同じ部分に必要となる。
【００３８】このような転写部１３，１３によって、受取人は住所及び申込書の記載事項を改めて控えに記載したり印字するという手間を省くことができるとともに、切取線１２によってはがき本体４を表面添付物３及び裏面添付物５から切り離し、申込書が記載された返信用はがきとして使用することもできる。
【００３９】さらに、図４に示すように表面添付物３、はがき本体４及び裏面添付物５の一の側端部には綴じ孔６ａ，６ｂ，６ｃが設けられているので、裏面添付物表面５Ａに印刷された申込書の控えや他の面に記載された商品カタログ等をファイルに綴じて保存することも可能である。図４では、はがき本体４のみに切取線１２を設けたが、表面添付物３あるいは裏面添付物５にも切取線を設けて表面添付物３を廃棄して裏面添付物５に印刷された申込書の控えのみを保存し、保存する書類を削減することもできる。なお、表面添付物３及び裏面添付物５の角部には切欠き１４が設けられており、これらははがき本体４から容易に剥離することが可能である。
【００４０】なお、図４において、郵便はがきであるということの表示を「郵便はがき」として符号８で示したが、郵便はがきであるということの表示に相当するものであれば「ＰＯＳＴ  ＣＡＲＤ」、「郵便葉書」や「郵便ハガキ」という文字でもよいのは言うまでもない。
【００４１】図５は本発明の第４の実施の形態に係る郵便はがきの実施例２及び実施例３の概念図であり、図４に示される実施例１の「郵便はがき」表記８をはがき本体４の上端に読み取ることができるようにしたものである。図５（ａ）は実施例２の表面平面図、図５（ｂ）は実施例２の裏面平面図、図５（ｃ）は実施例２の折畳み図、図５（ｄ）は実施例３の折畳み図である。図５において、図１乃至図４に示された部分と同一部分については同一符号を付し、その構成についての説明は省略する。
【００４２】図５（ａ）乃至（ｃ）に示すように、実施例２では表面添付物３の長辺の長さをはがき本体４及び裏面添付物５の長辺よりも短くし、かつ、「郵便はがき」表記８をはがき本体裏面４Ｂの側端部ではなく上端部に表記することで郵便はがき１を折畳んで接着させた際に図５（ｃ）のように郵便はがき１の上端部に「郵便はがき」表記８が読み取れるようにしている。また、図５（ａ）に示すように、はがき本体表面４Ａの上端部にも「郵便はがき」表記８を印字し、はがき本体４を返信用はがきとして返信する際に宛先の上部に「郵便はがき」表記８が読み取れるようにしてもよい。なお、図４を用いて説明した第４の実施の形態の実施例１においては、返信用はがきとして利用されるはがき本体４の「郵便はがき」表記８は、返信用のあて先の住所や宛名の記載に対して裏面の記載となっている。
【００４３】また、図５（ｄ）に示す実施例３は、図５（ａ）に示した実施例２で短くした表面添付物３の長辺に代えて、裏面添付物５の長辺を短くしたものである。このよう場合には、実施例２で受取人が郵便はがき１を受け取る段階で見えたはがき本体裏面４Ｂに記載された「郵便はがき」表記８は必ずしも必要ではなく、はがき本体表面４Ａに記載された「郵便はがき」表記８が図５（ｄ）に示すように郵便はがき１の裏面で読み取ることが可能となる。そして、このはがき本体表面４Ａに記載された「郵便はがき」表記８がそのまま返信用はがきの表面の「郵便はがき」表記８となるのである。
【００４４】最後に、図６は本発明の第４の実施の形態に係る郵便はがきの実施例４及び実施例５の概念図であり、表面添付物３あるいは裏面添付物５に窓１５を設けることによって図４の実施例１の「郵便はがき」表記８を表面添付物３あるいは裏面添付物５の上端に読み取ることができるようにしたものである。図６（ａ）は実施例４の表面平面図、図６（ｂ）は実施例４の裏面平面図、図６（ｃ）は実施例４の折畳み図である。図６において、図１乃至図５に示された部分と同一部分については同一符号を付し、その構成についての説明は省略する。
【００４５】図６（ａ）乃至（ｃ）に示すように、実施例４でははがき本体裏面４Ｂの上部に「郵便はがき」表記８を印字し、かつ、表面添付物３の上部に窓１５を設けることで郵便はがき１を折畳んで接着させたときに図６（ｃ）に示すように窓１５から「郵便はがき」表記８が読み取れるようになっている。
【００４６】また、図６（ｄ）は実施例５の折畳み図であり、実施例５は、図６（ａ）に示した実施例４で表面添付物表面３Ａに設けた窓１５を、裏面添付物裏面５Ｂに設けるものである。このような場合には図６（ｄ）に示すように「郵便はがき」表記８は郵便はがき１の裏面側から読み取れる構造となる。
【００４７】
【発明の効果】
以上説明したように、本発明の請求項１又は２に記載の郵便はがきにおいては、はがき本体部と表面添付部と裏面添付部とに共通する一の側端部を綴じることによってはがき本体部から表面添付部及び裏面添付部を剥離後冊子状の書類として保管することができるとともに、保管時の閲覧を容易に行うことができる。また、はがき本体部の表裏の面に記載される情報を連続した情報とすることができるため、はがき本体部のみを別個独立に保管することも容易となり、しかも表面添付部及び裏面添付部と併せて情報を閲覧する場合にも、連続的に行うことができるので便利である。
【００４８】特に、本発明の請求項２に記載の郵便はがきにおいては、剥離後にはがき本体を切取り可能とすることではがき本体部を返信用はがきとして使用したり、はがき本体部のみ、あるいは表面添付部や裏面添付部のみを保管、管理することが可能となる。
【００４９】また、本発明の請求項３に記載の郵便はがきにおいては、転写部を設けることで、表面添付部に記載した事項をはがき本体部裏面や裏面添付部表面に、あるいははがき本体部裏面に記載した事項を裏面添付部表面に転写可能とし、受取人などが、はがき本体部裏面や裏面添付部表面に記入するという手間を省くことができる。
【００５０】本発明の請求項４に記載の郵便はがきにおいては、郵便はがきであることの表示をはがき本体の両面に記載することで、接着によって郵便はがきを構成させた場合に、表面添付部あるいは裏面添付部のいずれからでも郵便はがきであることの表示を視認可能となり、郵便物としてより容易に使用可能となる。
【００５１】また、本発明の請求項５に記載の郵便はがきにおいては、はがき本体部、表面添付部及び裏面添付部の側端部に少なくとも一つの孔を設けることによって郵便はがきをファイリングして保管することが可能であり、秘匿情報の効率的な整理が可能となる。
【００５２】最後に、特に本発明の請求項６に記載の郵便はがきにおいては、表面添付部あるいは裏面添付部の少なくとも一つの角部に切欠き部を設けることによってはがき本体部から表面添付部及び裏面添付部を容易に剥離させることができる。
【図面の簡単な説明】
【図１】（ａ）は本発明の第１の実施の形態に係る郵便はがきの概念図であり、（ｂ）は（ａ）におけるＡ−Ａ線矢視断面図である。
【図２】（ａ）は本発明の第２の実施の形態に係る郵便はがきの概念図であり、（ｂ）は本発明の第２の実施の形態に係る郵便はがきを保管するときの概念図である。
【図３】（ａ）は本発明の第３の実施の形態に係る郵便はがきの概念図であり、（ｂ）は本発明の第３の実施の形態に係る郵便はがきを保管するときの概念図である。
【図４】（ａ）は本発明の第４の実施の形態に係る郵便はがきの実施例１の表面平面図であり、（ｂ）は本発明の第４の実施の形態に係る郵便はがきの実施例１の裏面平面図であり、（ｃ）は本発明の第４の実施の形態に係る郵便はがきの実施例１の概念図である。
【図５】（ａ）は本発明の第４の実施の形態に係る郵便はがきの実施例２の表面平面図であり、（ｂ）は本発明の第４の実施の形態に係る郵便はがきの実施例２の裏面平面図であり、（ｃ）は本発明の第４の実施の形態に係る郵便はがきの実施例２の概念図であり、（ｄ）は本発明の第４の実施の形態に係る郵便はがきの実施例３の概念図である。
【図６】（ａ）は本発明の第４の実施の形態に係る郵便はがきの実施例４の表面平面図であり、（ｂ）は本発明の第４の実施の形態に係る郵便はがきの実施例４の裏面平面図であり、（ｃ）は本発明の第４の実施の形態に係る郵便はがきの実施例４の概念図であり、（ｄ）は本発明の第４の実施の形態に係る郵便はがきの実施例５の概念図である。
【符号の説明】
１…郵便はがき  ２…シート  ３…表面添付物  ３ａ，３ｂ…剥離性感圧接着剤層  ３Ａ…表面添付物表面  ３Ｂ…表面添付物裏面  ４…はがき本体  ４ａ，４ｂ…剥離性感圧接着剤層  ４Ａ…はがき本体表面  ４Ｂ…はがき本体裏面  ５…裏面添付物  ５ａ，５ｂ…剥離性感圧接着剤層  ５Ａ…裏面添付物表面  ５Ｂ…裏面添付物裏面  ６ａ，６ｂ，６ｃ…綴じ孔  ７ａ，７ｂ…非剥離性接着剤層８…「郵便はがき」表記  ９…切取線  １０…ファイル  １１…リング  １２…切取線  １３…転写部  １４…切欠き  １５…窓
【図１】
2004249467.tif 000003
【図２】
2004249467.tif 000004
【図３】
2004249467.tif 000005
【図４】
2004249467.tif 000006
【図５】
2004249467.tif 000007
【図６】
2004249467.tif 000008